(57)【要約】      （修正有）【課題】天井埋め込み式照明装置のアセンブリを提供する。【解決手段】互いに組み合わせられた上部ハウジング１１と、下部ハウジングとを含み、上部ハウジング１１に上部カーバー空間１０を内設し、上部ハウジング１１に空気吸入口１１２を有し、下部ハウジングの中央場所に貫通された下部とおり穴１２４を設ける本体と、上部カーバー空間１１０に内設していて、ファン本体２１と空気案内管２４とを含み、ファン本体２１を空気案内管２４に導いて接続する。空気案内管２４が中空状のリング状の管部材を形成し、空気案内管２４の内部に風道を形成し、さらに、内部のファン本体を離れる側に出口が下向きの空気出口が設けられ、空気出口を風道に連絡するファン装置２０と、本体に設ける照明装置３０と、を備える。【選択図】図４
0003185162.tif 000002
【実用新案登録請求の範囲】
【請求項１】
天井埋め込み式照明装置のアセンブリであって、
互いに組み合わされた上部ハウジングと、下部ハウジングとを含み、前記上部ハウジングの内部に上部カーバー空間を有し、前記上部ハウジングは少なくとも１組の空気吸入口を設けられ、前記空気吸入口は複数のとおり穴より構成し、前記下部ハウジングの中央場所は下部に貫通された下部とおり穴を設ける本体と、
前記上部カーバー空間に内設され、少なくとも一つのファン本体と、一つの空気案内管とを含み、前記ファン本体を前記空気案内管に導いて接続し、前記空気案内管の内部に風道を形成し、前記空気案内管の内部は前記ファン本体を離れる側に出口が下向きの空気出口を設けられ、前記空気出口を前記風道に連絡するファン装置と、
基板と、複数のＬＥＤ灯とを含み、複数の前記ＬＥＤ灯を前記基板の下方に設ける照明装置と、
前記基板に電気接続していて、前記照明装置を制御する制御装置と、を備えることを特徴とする、
天井埋め込み式照明装置のアセンブリ。
【請求項２】
前記上部ハウジングの中央場所に上部とおり穴を設けることを特徴とする、請求項１記載の天井埋め込み式照明装置のアセンブリ。
【請求項３】
前記下部ハウジングの内部に下部カーバー空間を有し、中央場所に前記下部とおり穴の形成に用いる突起リングを有し、前記下部とおり穴を前記下部ハウジングに貫くことを特徴とする、請求項２記載の天井埋め込み式照明装置のアセンブリ。
【請求項４】
前記上部ハウジングと、前記下部ハウジングとの組合せは、係着具その他固定具によって係着されることを特徴とする、請求項１記載の天井埋め込み式照明装置のアセンブリ。
【請求項５】
前記ファン本体の中央場所に空気入力口を設け、その内部に複数のファンブレードを設け、前記ファン本体は前記空気案内管の側面に設けられ、前記ファン本体は前記空気案内管に対応する側にファン接続パイプを設けられ、前記ファン接続パイプの内部にてファン出口を設けられ、前記ファン出口を前記空気入口に連絡することを特徴とする、請求項３記載の天井埋め込み式照明装置のアセンブリ。
【請求項６】
前記空気案内管の中央場所に貫通されたリング接続口を有し、前記空気案内管の側面に少なくとも一つの風道接続パイプが設けられ、前記風道接続パイプの内部に空気入力接続口を形成し、前記空気案内管の前記風道と前記ファン本体の前記ファン接続パイプとを突き合わせ接ぎによって、前記空気入力接続口と前記ファン出口とを連絡することを特徴とする、請求項５記載の天井埋め込み式照明装置のアセンブリ。
【請求項７】
前記空気入力接続口にスポイラーを設けられ、前記スポイラーによって、前記空気入力接続口を複数のブロックに仕切られることを特徴とする、請求項６記載の天井埋め込み式照明装置のアセンブリ。
【請求項８】
前記リング接続口は前記上部とおり穴と、前記下部とおり穴に対応されていることを特徴とする、請求項６記載の天井埋め込み式照明装置のアセンブリ。
【請求項９】
前記ファン装置は前記ファン本体を設置するためのサイレンサーをさらに設けられ、前記サイレンサーは底板と、前記底板まわりにある３つの連結された側板と、開口部とを含み、少なくとも一つの前記側板に複数の空気入力穴を設けられ、前記側板にて少なくとも一つの穴位置を示された固定具を設けられ、前記固定具を前記上部ハウジングに締め付けられ、前記開口部は前記空気案内管に対応しており、前記開口部両側の前記側板を前記空気案内管に当接することを特徴とする、請求項６記載の天井埋め込み式照明装置のアセンブリ。
【請求項１０】
前記基板は電気回路板であり、前記基板の中央場所に基板接続口を設けることを特徴とする、請求項１記載の天井埋め込み式照明装置のアセンブリ。
【請求項１１】
前記空気案内管は外側管壁と、内側管壁と、底部管壁と、最上部管壁とを含み、前記外側管壁と、前記内側管壁と、前記底部管壁と、前記最上部管壁との間に風道を形成することを特徴とする、請求項６記載の天井埋め込み式照明装置のアセンブリ。
【請求項１２】
前記底部管壁は前記内側管壁の一側は下向きに屈折する突起ブロックを形成し、前記突起リングの最上端は前記空気出口の下方に位置していて、前記底部管壁の突起ブロックに当接することを特徴とする、請求項１１記載の天井埋め込み式照明装置のアセンブリ。
【請求項１３】
前記内側管壁は前記空気案内管の中央場所向きのリング接続口であり、次第に縮小して屈折する壁体であることを特徴とする、請求項１１記載の天井埋め込み式照明装置のアセンブリ。
【請求項１４】
前記内側管壁の一端は前記最上部管壁に接ぎあわされており、前記内側管壁の他端は前記底部管壁付近端の突起ブロックに向かって延び、前記突起ブロック同士が適切な間隔を維持しており、出口が下向きの空気出口を形成することを特徴とする、請求項１２記載の天井埋め込み式照明装置のアセンブリ。
【請求項１５】
前記空気案内管内部の前記風道接続パイプの間には仕切り板をさらに設けられ、前記仕切り板によって、前記空気案内管の内部を独立空間に仕切られ、各前記ファン本体が提供するエアフローを各独立空間に送り込まれることを特徴とする、請求項６記載の天井埋め込み式照明装置のアセンブリ。
【考案の詳細な説明】
【技術分野】
【０００１】
本考案は照明装置のアセンブリに関し、特に隠し式のファン装置と結合し、内部空間で循環可能な無干渉式エアフローを提供できるほか、製品の質感が豊富な天井埋め込み式照明装置のアセンブリに関する。
【背景技術】
【０００２】
照明灯具は現代人の生活に欠かすことができない器具であり、一方、ファンなど空調に使用するエアフローも生活の常用器具の一つである。
一般的に、灯具は広範囲の照明を提供するため、天井または壁の上部など建造物の高所に取り付けられることが多く、空調のエアフローも幅広い拡散面積が得られるように建造物の比較的高い場所に取り付けられている。よって、両者を結合したファン付きの灯具が開発されており、機能性が明らかであるほか、設置空間の単純化がファンと灯具を設置する主流方式である。
【先行技術文献】
【特許文献】
【０００３】
【特許文献１】中国特許２０１１１０４３９３８８号
【０００４】
【特許文献２】中国特許９３２２６６９７．５号
【考案の概要】
【考案が解決しようとする課題】
【０００５】
図１に示す中国特許２０１１１０４３９３８８号（特許文献１）は、天井扇風機９０であって、前記天井扇風機９０はエアセクション９１と、ノズル９２とを含み、前記エアセクション９１にモーターを内設し、気流を発生して前記ノズル９２に流し込み、前記エアセクション９１はさらに支え具９３に連結し、前記支え具９３によって天井に固定し、前記ノズル９２は輪状のディスク体を形成し、エアフローの吹き出しに用いる。
前述した公知のファン技術に関わる中国特許２０１１１０４３９３８８号（特許文献１）は、天井に固定していて、かつファンの構造部が外部に突き出されていないが、ファンの構造部には照明機能がついていないため、機能は限られている。
【０００６】
さらに、図２に示す中国特許９３２２６６９７．５号（特許文献２）は、組合せ式ファン付き天井灯１００であって、ランプハウジング１０１を備え、ランプハウジング１０１上方の中央場所にモーター１０２を設けられ、前記モーター１０２は吊り棒１０３に連結され、前記組合せ式ファン付き天井灯１００を天井に垂設し、前記モーター１０２によって、前記ハウジング１０１に内設するファン１０４を駆動でき、前記ファン１０４の下方に灯具１０５を設けられ、前記灯具１０５と、前記ランプハウジング１０１との間に風道ダンパー１０６を設けて、前記ファン１０４を仕切るとともにエアフローを提供している。
前述した公知のファン付き天井灯中国特許９３２２６６９７．５号（特許文献２）には、照明と空調のエアフロー提供の目的が達成されているが、以下の課題が残されている。
組合せ式ファン付き天井灯１００には風向き方向を固定しているのみならず、天井に垂設しており、ファン１０４は風道ダンパー１０６によって仕切られ、ファン１０４が回転しているところが見えるため、時間を経過すると使用者の視覚ストレスになりかねない。
また、風道ダンパー１０６によって仕切られたエアフローが分散し集中しないため、振動による騒音を発生してしまい、理想な設計といいにくい。
さらに、風道ダンパー１０６の使用期間を経過すると、粉塵や汚れが溜まってしまい、空間が限られているため、清掃が難しいなどの点も合わせて改善の必要がある。
よって、公知技術のファン付き灯具の構造を使用するときの欠点を改善することが、業者または識者が解決、克服に努力する重要な課題である。
【課題を解決するための手段】
【０００７】
考案者は、公知技術のファン付き灯具の構造と使用面の欠点並びにその構造設計が理想でない事実に対して、解決方策の研究開発に取り組み、より隠し易く、エアフローをより集中でき、かつ清掃が便利な天井埋め込み式照明装置のアセンブリ構造の提供を目指して、社会に貢献すると共に業界の発展促進を図るため、種々の研究を積んだ結果、本考案を思料した。
本考案の目的は、照明装置に結合して使用可能なファン装置に隠し機能を有し、使用に当たり視覚上のストレス及び騒音を防げる天井埋め込み式照明装置のアセンブリを提供する。
【０００８】
本考案のもう一つの目的は、ファン装置のエアフローを集中させた後に拡散して吹き出すことができるほか、操作及び後日の清掃が容易に行える実用性と豊富な質感効果を有する天井埋め込み式照明装置のアセンブリを提供する。
【０００９】
本考案が前述の目的を達成するために採用する手段は、互いに組み合わせられた上部ハウジングと、下部ハウジングとを含み、上部ハウジングに上部カーバー空間を内設し、上部ハウジングは少なくとも１組の空気吸入口を有し、下部ハウジングの中央場所に貫通された下部とおり穴を設ける本体と、上部カーバー空間に内設していて、少なくとも一つのファン本体と一つの空気案内管とを含み、ファン本体を空気案内管に導いて接続し、空気案内管が中空状のリング状の管部材を形成し、空気案内管の内部に風道を形成し、空気案内管の内部がファン本体を離れる側に出口が下向きの空気出口を設けられ、空気出口を風道に連絡するファン装置と、基板と、複数のＬＥＤとを含み、複数のＬＥＤ灯を基板の下方に設ける照明装置と、基板に電気接続して照明装置を制御する制御装置と、を備える。
【００１０】
本考案が前述の目的を達成するために採用するもう一つの手段は、空気案内管に少なくとも一つの風道継手を有し、風道継手の内部に風道とおり口を形成し、風道とおり口にスポイラーを設けることによって、風道とおり口を複数のブロックに仕切って置き、風道とおり口は風道に連絡していて、エアフローを均一に風道へ送り込むことができる。
【００１１】
本考案が前述の目的を達成するために採用するまた一つの手段は、各風道継手同士の空気案内管内部に備える風道に仕切り板（すなわち、仕切り板を風道の内部に取り付けられている）を設け、仕切り板によって空気案内管の内部に独立の空間を形成し、各ファン本体より提供するエアフローをそれぞれ独立した独立空間に送り込む。仕切り板はファン本体が一つ以上のときに設置される。
本考案の技術特徴及び達成する効果のさらなる理解及び認識を図るため、好ましい実施態様図と合わせて、以下のとおり詳細に説明する。
【図面の簡単な説明】
【００１２】
【図１】公知のファン構造を示す図である。
【図２】公知のファン付きランプホルダーの構造を示す図である。
【図３】本考案の組合せの立体概略図である。
【図４】本考案の分解概略図である。
【図５】本考案の上部、下部ハウジングを接続したときの断面図を示す図である。
【図６】本考案の局所分解を示す図である。
【図７】本考案の風道の局所を示す断面図である。
【図８】本考案の風道の立体概略図である。
【図９】本考案の組立、分解を示す図である。
【図１０】本考案の組合せ断面概略図である。
【図１１】本考案の組合せ断面の局所の拡大を示す図である。
【考案を実施するための形態】
【００１３】
以下、本考案の実施例について、図面を参照しながら詳細に説明する。
【実施例】
【００１４】
図３ないし５を参照する。本考案は隠し機能のファン装置に結合した天井埋め込み式照明装置のアセンブリに関する。天井埋め込み式照明装置のアセンブリは本体１０と、ファン装置２０と、照明装置３０と、制御装置４０と、を備える。
【００１５】
そのうち、本体１０は上部ハウジング１１と、下部ハウジング１２（本考案に述べる方向は図示の方位という。以下同様。）とを含み、上部ハウジング１１はディスク状（またはその他形状）に構成し、内部に上部カーバー空間１１０と中央場所に上部とおり穴１１１とを有し、上部ハウジング１１の最上面にて空気吸入口１１２（本実施例において、２組の空気吸入口より構成されているが、実務上の数量及び設置位置はこの限りでない。）と、固定穴１１３、１１４とを設けられる。
空気吸入口１１２は複数のとおり穴より構成し、下部ハウジング１２を上部ハウジング１１の底部端に組み付けて、密閉形のハウジング体を形成し、下部ハウジング１２は略ディスク状（または他の形状）を形成し、その内部に下部カーバー空間１２０と、中央場所に突起リング１２３を有し、突起リング１２３の内部にて下部とおり穴１２４を形成し、下部とおり穴１２４が下部ハウジング１２を貫いていて、下部ハウジング１２の外周縁に当接リング１２１を設けられる。
当接リング１２１は上部ハウジング１１に当接され、下部ハウジング１２の内周縁は内側に引き込む突起リブ１２２を設けられ、上部ハウジング１１と下部ハウジング１２との組合せは係着具１３（または他の固定具）によって固定される。
本実施例において、まず係着具１３を固定穴１１４に通して、上部ハウジング１１に取り付けてから、上部ハウジング１１と、下部ハウジング１２とを一体に組み合わせる。そのうち、係着具１３は旋転と掛け合いによって突起リブ１２２に係着される（図５に示す）。さらに、下部ハウジング１２は透光性部材より仕上げるが、上部ハウジング１１は透光性部材または非透光性部材より仕上げられることができる。
【００１６】
引き続き、図６、７を参照する。そのうち、ファン装置２０はファン本体２１（本実施例においては、２組のファン本体の組み合わせだが、実務上の数量はこの限りでない）と、空気案内管２４とを含み、ファン本体２１の中央場所に空気入口２１０と、複数のファンブレード２１１とを設けられ、ファン本体２１は空気案内管２４に対応する側にファン接続パイプ２１２を設けられ、ファン接続パイプ２１２の内部にてファン出口２１３を設けられ、ファン出口２１３は空気入口２１０に連絡されている。
空気案内管２４は中空状のリング体（または他の形状）の管部材を形成して、ファン本体２１の一側面に連結し、空気案内管２４の中央場所にリング接続口２４０を有し、すなわち、空気案内管２４の中央部にリング接続口２４０の中空状のリング体管部材が形成されている。さらに、空気案内管２４の内部に風道２４２（図７に示す）を形成し、空気案内管２４の両側にそれぞれ風道接続パイプ２４３が設けられ、風道接続パイプ２４３の内部に空気入力接続口２４４が設けられている。
【００１７】
引き続き図８を参照する。空気入力接続口２４４にてスポイラー２４５（すなわち、スポイラー２４５とエアフローの方向とを垂直している。）をさらに設け、スポイラー２４５によって、空気入力接続口２４４にて複数のブロックに分け、空気入力接続口２４４を風道２４２に連絡する。
空気案内管２４の側面にて複数の穴位置に合わせられた固定具２４１を設けられ、固定具２４１はフランジを形成しても良い。スクリュー１４を固定具２４１に通して、空気案内管２４を上部ハウジング１１に（固定穴１１３位置と同じ）に接続固定して置く。
【００１８】
引き続き図９を参照する。組み付けるときはファン本体２１の最上面を上部ハウジング１１によって当接及び固定する。しかし、エアフローがスムーズに流れる隙間を残しておき、空気案内管２４のリング接続口２４０を上部ハウジング１１の上部とおり穴１１１と、下部ハウジング１２の下部とおり穴１２４（図４に示す）に合わせて置く。
さらに、空気案内管２４両側の風道接続パイプ２４３をそれぞれ対応するファン本体２１に備えるファン接続パイプ２１２につなぐことによって、空気案内管２４両側の空気入力接続口２４４と、ファン本体２１のファン出口２１３とを連絡させる。
【００１９】
図４、６に示すとおり、一実施態様において、２つのファン本体２１はそれぞれサイレンサー２２に設けられ、サイレンサー２２はファン本体２１を収容する収容空間２２０を有し、サイレンサー２２は底板２３と、底板２３の周りに３つの連設された側板２３１と、開口部２３２とを含み、少なくとも一つの側板２３１に複数の空気入力穴２２２を設けられる。
側板２３１には少なくとも一つの穴位置を示された固定具２２１を有し、固定具２２１は略フランジ状を形成し、スクリュー（図示しない）を固定具２２１に通すことによって、サイレンサー２２を上部ハウジング１１に固定することができる。
開口部２３２は空気案内管２４の風道接続パイプ２４３（入風通口２４４）に対応する方位に合わされ、ファン本体２１を空気案内管２４との接続に便利であり、開口部２３２両側の側板２３１を空気案内管２４に当接する態様を形成し、組み付け完了後は開口部２３２が空気案内管２４（図９に示す）に接続された態様を形成する。
【００２０】
図４と５に示すとおり、照明装置３０は基板３１と、複数のＬＥＤ灯３２とを含み、基板３１は例えば電気回路板であっても良い。基板３１の中央場所に基板接続口３１０を設けられ、本実施例において、基板３１は本体１０に合わせて円形の板体を形成しており、基板接続口３１０は空気案内管２４に合わせて、丸穴を形成されているが、その形状には限られない。
複数のＬＥＤ灯３２を基板３１の下方に取り付けて、照明を提供する。下部ハウジング１２は透光性部材を使用し、照明装置３０光源の照射に備える。さらに、制御装置４０を基板３１に設けて電気接続され、照明装置３０（複数のＬＥＤ灯３２）の制御に用いる。制御装置４０をファン装置２０に電気接続して置き、ファン装置２０の起動、休止及び回転速度の制御設定に備える。制御装置４０はアプリケーションソフトがあらかじめに導入された知能型携帯電話機またはその他類似装置によって、制御信号を受発信することができる。
【００２１】
引き続き、図６と７を参照する。一実施態様において、空気案内管２４は外側管壁２６０と、内側管壁２７０と、底部管壁２８０と、最上部管壁２５０とを含める。そのうち、風道接続パイプ２４３は外側管壁２６０に突き出していて、底部管壁２８０は内側管壁２７０の付近側は下方に屈折された突起ブロック２８１を設けると共に、外側管壁２６０と、内側管壁２７０と、底部管壁２８０と、最上部管壁２５０との間に風道２４２を形成する。
内側管壁２７０は空気案内管２４中央場所に設けられリング接続口２４０が次第に縮小し連続に屈折する壁体である。さらに、内側管壁２７０の一端と最上部管壁２５０とを接ぎあわせて、内側管壁２７０の他端が底部管壁２８０付近部の突起ブロック２８１に延び、突起ブロック２８１との間に適切な距離を維持することによって、出口が下向きの空気出口２４８を形成し、空気入力接続口２４４と、風道２４２と、空気出口２４８とを連絡して設けられている。換言すれば、空気出口２４８は空気案内管２４の内部でファン本体２１を離れる側に設けられている。
【００２２】
引き続き、図８を参照する。本考案の空気案内管２４は内部の風道２４２には複数の仕切り板２４６（本実施例において、２つ設けている。）をさらに設けられ、仕切り板２４６は風道接続パイプ２４３の間に設けられ、空気案内管２４の内部を２つの連絡されない独立した空間に仕切って置き、各ファン本体２１より提供されるエアフローを各独立空間に送り込まれる。
【００２３】
引き続き、図９ないし１１を併せて参照する。本考案の天井埋め込み式照明装置のアセンブリを組み合わせた後に、下部ハウジング１２の突起リング１２３を下方から基板３１の基板接続口３１０と、空気案内管２４のリング接続口２４０内部に挿入し、突起リング１２３の最上端は空気出口２４８の下方に位置して、底部管壁２８０の突起ブロック２８１に当接する。
すなわち、突起リング１２３は空気出口２４８に遮っていない。複数のＬＥＤ灯３２光源は下部ハウジング１２を通過して照明の目的を果たし、ファン装置２０（ファン本体２１）は基板３１と、突起リング１２３によって仕切られ、完全に隠すことができる。さらに、ファン本体２１はサイレンサー２２の内部に収容されているため、ファン本体２１稼働の騒音を大幅に軽減できる。
【００２４】
本考案の天井埋め込み式照明装置のアセンブリを稼働するときには、上部ハウジング１１の最上面を天井（図示しない）に取り付けて、適切な間隔を置いて外部の風通しを良くさせる。ファン本体２１を起動した後、エアフロー（空気）が上部ハウジング１１の最上面と周りの表面に備える空気吸入口１１２より上部カーバー空間１１０に吸い込まれ、引き続空気入力穴２２２よりサイレンサー２２の内部に送り込み、空気入口２１０よりファン本体２１に吸入される。
図１０と、１１とを併せて参照する。ファン本体２１のファン出口２１３と、空気案内管２４の空気入力接続口２４４と、風道２４２と、空気出口２４８が互いに連絡する空気流路を形成する。これにより、ファン本体２１を稼働するときのエアフローを空気出口２４８より吹き出し、エアフローは突起リング１２３の下部とおり穴１２４に流れて均一に吹き出したときに、上部ハウジング１１中央部最上端の上部とおり穴１１１にある空気が加速してリング接続口２４０と、下部とおり穴１２４を経由して、外部に拡散される。
換言すれば、ファン本体２１が稼働するときに、外部空気の一部分がファン本体２１に進入してエアフローを形成し、大部分の外部空気は加速してリング接続口２４０に吸入し、比較的大きいエアフローを形成する。
本考案の天井埋め込み式照明装置のアセンブリは前述した構成により、灯具に結合されたファン装置に隠し機能を提供でき、視覚のストレスと、騒音を避けられ、提供されるエアフローを集中した上拡散して吹き出すことができ、かつ後日の清掃処理に便利であり、利用上の実用性と現代設計の質感を積極的に向上できる。  
【００２５】
本考案を適用するときは、壁面に取り付けて、壁掛け式照明装置と隠れ式ファンとを結合して使用できる。
【００２６】
前述のとおり、本考案は実用新案の要件を満足しているため、法により実用新案登録を出願する。以上に説明した本考案の実施例は、本考案の好ましい実施例に過ぎず、本考案に何らの制限を加わるものではない。よって、本考案の実用新案登録請求範囲に掲げた形状、構造、特長および精神に基づいた変更と修飾は、なお本考案の出願の範疇に含まれる。
【符号の説明】
【００２７】
１０    本体
１１    上部ハウジング
１１０  上部カーバー空間
１１１  上部とおり穴
１１２  空気吸入口
１１３  固定穴
１２１  当接リング
１２２  突起リブ
１２３  突起リング
１２４  下部とおり穴
１３    係着具
１４    スクリュー
２０    ファン装置
２１    ファン本体
２１０  空気入口
２１１  ファンブレード
２１２  ファン接続パイプ
２１３  ファン出口
２２    サイレンサー
２２０  収容空間
２２１  固定具
２３    底板
２３１  側板
２３２  開口部
２４    空気案内管
２４０  リング接続口
２４１  固定具
２４２  風道
２４３  風道接続パイプ
２４４  空気入力接続口
２４５  スポイラー
２４８  空気出口
２５０  上部管壁
２６０  外側管壁
２７０  内側管壁
２８０  底部管壁
２８１  突起ブロック
３０    照明装置
３１    基板
３１０  基板接続口
３２    ＬＥＤ灯
４０    制御装置
【図１】
0003185162.tif 000003
【図２】
0003185162.tif 000004
【図３】
0003185162.tif 000005
【図４】
0003185162.tif 000006
【図５】
0003185162.tif 000007
【図６】
0003185162.tif 000008
【図７】
0003185162.tif 000009
【図８】
0003185162.tif 000010
【図９】
0003185162.tif 000011
【図１０】
0003185162.tif 000012
【図１１】
0003185162.tif 000013